(57)【要約】【課題】回転体の回転方向の位置を検出するスイッチにおいて、接点の摩耗を防止しつつ、振動や衝撃に強いスイッチを実現する。【解決手段】サイドスタンドを格納する方向に回転すると、回転部材１０１が反時計回りに回転し、揺動部材１０２が突起部１５５により押され、反時計回りの方向に揺動し、可動接点１０３と固定接点１０６が接触する。また、揺動部材１０２の適合面２０２と回転部材１０１の保持部１５６が適合し、揺動部材１０２の揺動方向の位置が固定される。サイドスタンドを起立させる方向に回転すると、回転部材１０１が時計回りに回転し、揺動部材１０２が突起部１５５により押され、時計回りの方向に揺動し、可動接点１０３と固定接点１０６が大きく離れる。また、揺動部材１０２の適合面と回転部材１０１の保持部１５７が適合し、揺動部材１０２の揺動方向の位置が固定される。本発明は、例えば、サイドスタンドスイッチに適用できる。【選択図】図１６
2014118042.tif 000002
【特許請求の範囲】
【請求項１】
サイドスタンドの位置を検出する位置検出スイッチにおいて、
内側が中空状の円筒形状をした本体部を有するケースと、
前記ケースの前記本体部に嵌め合わされ、前記本体部の中心軸と一致する第１の回転軸を中心に前記サイドスタンドとともに第１の回転方向及び前記第１の回転方向と逆の第２の回転方向に回転可能な回転部材であって、
先端が前記ケースの前記本体部の一端に嵌め合わされ、中心軸が前記第１の回転軸と一致する円筒部と、
前記円筒部の周囲に形成されている円板部と、
前記円板部の前記円筒部の先端側の面に形成されている突起部と、
前記円筒部の先端と前記円板部との間において前記円筒部の周囲に形成され、前記第１の回転軸を中心にして前記突起部から前記第２の回転方向に所定の角度だけ離れた位置において前記第１の回転軸を中心とする円弧状の第１の側面を有する第１の保持部と、
前記円筒部の先端と前記円板部との間において前記円筒部の周囲に形成され、前記第１の回転軸を中心にして前記突起部から前記第１の回転方向に所定の角度だけ離れた位置において前記第１の回転軸を中心とする円弧状の第２の側面を有する第２の保持部と
を備える回転部材と、
前記ケースの前記本体部の一端と前記回転部材の前記円板部との間において、前記第１の回転軸と平行な揺動軸を中心に第１の揺動方向及び前記第１の揺動方向と逆の第２の揺動方向に揺動可能に前記ケースの前記本体部の一端に支持される揺動部材であって、
前記回転部材の前記第１の保持部の前記第１の側面と適合する曲面である第１の適合面と、
前記回転部材の前記第２の保持部の前記第２の側面と適合する曲面である第２の適合面と、
前記回転部材が前記第１の回転方向に回転した場合に、前記回転部材の前記突起部が当接する第１の当接部と、
前記回転部材が前記第２の回転方向に回転した場合に、前記回転部材の前記突起部が当接する第２の当接部と
を備える揺動部材と、
前記ケースの前記本体部の側面に前記本体部の内側から接触可能に設けられている固定接点と、
前記揺動部材に設けられ、前記揺動部材の揺動に伴い、前記固定接点と接触したり離れたりする可動接点と
を備え、
前記回転部材が前記第１の回転方向に回転し、前記揺動部材の前記第１の当接部が前記回転部材の前記突起部により押されると、前記揺動部材が前記第１の揺動方向に揺動し、前記可動接点と前記固定接点が接触し、さらに前記回転部材が前記第１の回転方向に回転すると、前記回転部材の前記第１の保持部の前記第１の側面と前記揺動部材の前記第１の適合面が適合し、前記揺動部材が前記第１の揺動方向に揺動した状態で保持され、
前記回転部材が前記第２の回転方向に回転し、前記揺動部材の前記第２の当接部が前記回転部材の前記突起部により押されると、前記揺動部材が前記第２の揺動方向に揺動し、前記可動接点と前記固定接点が離れ、さらに前記回転部材が前記第２の回転方向に回転すると、前記回転部材の前記第２の保持部の前記第２の側面と前記揺動部材の前記第２の適合面が適合し、前記揺動部材が前記第２の揺動方向に揺動した状態で保持される
位置検出スイッチ。
【請求項２】
前記回転部材の前記第１の保持部と前記第２の保持部は、前記回転部材の前記円筒部の高さ方向において異なる位置に形成されており、
前記揺動部材の前記第１の適合面と前記第２の適合面は、前記揺動部材の前記揺動軸と平行な方向において異なる位置に形成されている
請求項１に記載の位置検出スイッチ。
【請求項３】
前記回転部材の前記第１の保持部と前記第２の保持部は、前記第１の回転軸と垂直な方向に所定の幅を持つ円弧状の形状を有する
請求項１又は２に記載の位置検出スイッチ。
【請求項４】
前記揺動部材の第１の当接部及び前記第２の当接部は、前記揺動部材の湾曲部のくぼみの両側にそれぞれ位置する
請求項１乃至３のいずれかに記載の位置検出スイッチ。
【請求項５】
前記揺動部材は、前記湾曲部のくぼみ側が前記ケースの前記本体部の側面の方向を向くように、前記ケースの前記本体部の一端に支持されている
請求項４に記載の位置検出スイッチ。
【請求項６】
前記可動接点は、バネを介して前記揺動部材に取り付けられ、前記バネの弾力により前記固定接点に押し付けられる
請求項１乃至５のいずれかに記載の位置検出スイッチ。
【請求項７】
前記揺動軸は、前記ケースの前記本体部の一端に形成されている円柱状の突起により構成される
請求項１乃至６のいずれかに記載の位置検出スイッチ。
【請求項８】
前記回転部材の前記円板部は、前記ケースの前記本体部の内周の径と略同じ径を有している
請求項１乃至７のいずれかに記載の位置検出スイッチ。
【請求項９】
前記第１の回転軸が、前記サイドスタンドの第２の回転軸と一致するように設置される
請求項１乃至８のいずれかに記載の位置検出スイッチ。
【請求項１０】
内側が中空状の円筒形状をした本体部を有するケースと、
前記ケースの前記本体部に嵌め合わされ、前記本体部の中心軸と一致する回転軸を中心に第１の回転方向及び前記第１の回転方向と逆の第２の回転方向に回転可能な回転部材であって、
先端が前記ケースの前記本体部の一端に嵌め合わされ、中心軸が前記回転軸と一致する円筒部と、
前記円筒部の周囲に形成されている円板部と、
前記円板部の前記円筒部の先端側の面に形成されている突起部と、
前記円筒部の先端と前記円板部との間において前記円筒部の周囲に形成され、前記回転軸を中心にして前記突起部から前記第２の回転方向に所定の角度だけ離れた位置において前記回転軸を中心とする円弧状の第１の側面を有する第１の保持部と、
前記円筒部の先端と前記円板部との間において前記円筒部の周囲に形成され、前記回転軸を中心にして前記突起部から前記第１の回転方向に所定の角度だけ離れた位置において前記回転軸を中心とする円弧状の第２の側面を有する第２の保持部と
を備える回転部材と、
前記ケースの前記本体部の一端と前記回転部材の前記円板部との間において、前記回転軸と平行な揺動軸を中心に第１の揺動方向及び前記第１の揺動方向と逆の第２の揺動方向に揺動可能に前記ケースの前記本体部の一端に支持される揺動部材であって、
前記回転部材の前記第１の保持部の前記第１の側面と適合する曲面である第１の適合面と、
前記回転部材の前記第２の保持部の前記第２の側面と適合する曲面である第２の適合面と、
前記回転部材が前記第１の回転方向に回転した場合に、前記回転部材の前記突起部が当接する第１の当接部と、
前記回転部材が前記第２の回転方向に回転した場合に、前記回転部材の前記突起部が当接する第２の当接部と
を備える揺動部材と、
前記ケースの前記本体部の側面に前記本体部の内側から接触可能に設けられている固定接点と、
前記揺動部材に設けられ、前記揺動部材の揺動に伴い、前記固定接点と接触したり離れたりする可動接点と
を備え、
前記回転部材が前記第１の回転方向に回転し、前記揺動部材の前記第１の当接部が前記回転部材の前記突起部により押されると、前記揺動部材が前記第１の揺動方向に揺動し、前記可動接点と前記固定接点が接触し、さらに前記回転部材が前記第１の回転方向に回転すると、前記回転部材の前記第１の保持部の前記第１の側面と前記揺動部材の前記第１の適合面が適合し、前記揺動部材が前記第１の揺動方向に揺動した状態で保持され、
前記回転部材が前記第２の回転方向に回転し、前記揺動部材の前記第２の当接部が前記回転部材の前記突起部により押されると、前記揺動部材が前記第２の揺動方向に揺動し、前記可動接点と前記固定接点が離れ、さらに前記回転部材が前記第２の回転方向に回転すると、前記回転部材の前記第２の保持部の前記第２の側面と前記揺動部材の前記第２の適合面が適合し、前記揺動部材が前記第２の揺動方向に揺動した状態で保持される
回転スイッチ。
【発明の詳細な説明】
【技術分野】
【０００１】
本発明は、位置検出スイッチ及び回転スイッチに関し、例えば、サイドスタンドの回転方向の位置を検出する場合に用いて好適な位置検出スイッチ及び回転スイッチに関する。
【背景技術】
【０００２】
近年、サイドスタンドスイッチによりサイドスタンドの回転方向の位置を検出し、サイドスタンドが起立したまま走行するのを防止する自動二輪車が普及している。
【０００３】
例えば、サイドスタンドスイッチは、サイドスタンドの回転に連動して移動する可動接点と移動しない固定接点との間の接触状態により、サイドスタンドが起立した位置（駐車中の状態）にあるか、格納した位置にあるかを検出する。このような接点式のサイドスタンドスイッチには、例えば、サイドスタンドとともに可動接点が回転するもの（例えば、特許文献１、２参照）や、カム等を用いてサイドスタンドの回転に伴い可動接点が所定の方向にスライドするもの（例えば、特許文献３参照）がある。
【０００４】
また、従来、サイドスタンドスイッチとは別に、様々なタイプの回転式のスイッチが提案されている。
【０００５】
例えば、回転部材の周囲に所定の間隔で設けられた突起により、所定の揺動軸を中心に揺動部材を揺動させることにより、回転部材の回転方向を検出するスイッチが提案されている（例えば、特許文献４参照）。具体的には、揺動部材は、回転部材の突起が触れる度に、回転部材の回転方向に対応する方向に揺動する。そして、揺動部材の揺動方向に応じて、２つの異なるスイッチのうちの一方がオンし、スイッチから出力されるパルス信号に基づいて、回転部材の回転方向が検出される。
【０００６】
また、例えば、回転式のカムを用いて可動接点を所定の方向にスライドさせて、可動接点と固定接点の接触状態を変化させるとともに、バネにより可動接点と固定接点の接触状態を保持するスイッチが提案されている（例えば、特許文献５参照）。
【先行技術文献】
【特許文献】
【０００７】
【特許文献１】特開２００７−２１０６００号公報
【特許文献２】特開２０１０−２３５０７７号公報
【特許文献３】特開２００３−２５２２６４号公報
【特許文献４】特開２００６−１０７９０４号公報
【特許文献５】実公平３−２３６３４号公報
【発明の概要】
【発明が解決しようとする課題】
【０００８】
特許文献１乃至３に記載のサイドスタンドスイッチでは、可動接点が固定接点と擦れながら回転又はスライドするため、接点が摩耗してしまう。
【０００９】
また、特許文献４及び５に記載のスイッチでは、振動や衝撃が大きな自動二輪車のサイドスタンドスイッチに適用することは考慮されておらず、振動や衝撃に対する対策が検討されていない。
【００１０】
そこで、本発明は、サイドスタンド等の回転体の回転方向の位置を検出するスイッチにおいて、接点の摩耗を防止しつつ、振動や衝撃に強いスイッチを実現するようにするものである。
【課題を解決するための手段】
【００１１】
本発明の第１の側面の位置検出スイッチは、サイドスタンドの位置を検出する位置検出スイッチにおいて、内側が中空状の円筒形状をした本体部を有するケースと、ケースの本体部に嵌め合わされ、本体部の中心軸と一致する第１の回転軸を中心にサイドスタンドとともに第１の回転方向及び第１の回転方向と逆の第２の回転方向に回転可能な回転部材であって、先端がケースの本体部の一端に嵌め合わされ、中心軸が第１の回転軸と一致する円筒部と、円筒部の周囲に形成されている円板部と、円板部の円筒部の先端側の面に形成されている突起部と、円筒部の先端と円板部との間において円筒部の周囲に形成され、第１の回転軸を中心にして突起部から第２の回転方向に所定の角度だけ離れた位置において第１の回転軸を中心とする円弧状の第１の側面を有する第１の保持部と、円筒部の先端と円板部との間において円筒部の周囲に形成され、第１の回転軸を中心にして突起部から第１の回転方向に所定の角度だけ離れた位置において第１の回転軸を中心とする円弧状の第２の側面を有する第２の保持部とを備える回転部材と、ケースの本体部の一端と回転部材の円板部との間において、第１の回転軸と平行な揺動軸を中心に第１の揺動方向及び第１の揺動方向と逆の第２の揺動方向に揺動可能にケースの本体部の一端に支持される揺動部材であって、回転部材の第１の保持部の第１の側面と適合する曲面である第１の適合面と、回転部材の第２の保持部の第２の側面と適合する曲面である第２の適合面と、回転部材が第１の回転方向に回転した場合に、回転部材の突起部が当接する第１の当接部と、回転部材が第２の回転方向に回転した場合に、回転部材の突起部が当接する第２の当接部とを備える揺動部材と、ケースの本体部の側面に本体部の内側から接触可能に設けられている固定接点と、揺動部材に設けられ、揺動部材の揺動に伴い、固定接点と接触したり離れたりする可動接点とを備え、回転部材が第１の回転方向に回転し、揺動部材の第１の当接部が回転部材の突起部により押されると、揺動部材が第１の揺動方向に揺動し、可動接点と固定接点が接触し、さらに回転部材が第１の回転方向に回転すると、回転部材の第１の保持部の第１の側面と揺動部材の第１の適合面が適合し、揺動部材が第１の揺動方向に揺動した状態で保持され、回転部材が第２の回転方向に回転し、揺動部材の第２の当接部が回転部材の突起部により押されると、揺動部材が第２の揺動方向に揺動し、可動接点と固定接点が離れ、さらに回転部材が第２の回転方向に回転すると、回転部材の第２の保持部の第２の側面と揺動部材の第２の適合面が適合し、揺動部材が第２の揺動方向に揺動した状態で保持される。
【００１２】
本発明の第１の側面においては、サイドスタンドが所定の方向に回転すると、回転部材が第１の回転方向に回転し、揺動部材の第１の当接部が回転部材の突起部により押され、揺動部材が第１の揺動方向に揺動し、可動接点と固定接点が接触し、回転部材の第１の保持部の第１の側面と揺動部材の第１の適合面が適合し、揺動部材が第１の揺動方向に揺動した状態で保持される。一方、サイドスタンドが逆方向に回転すると、回転部材が第２の回転方向に回転し、揺動部材の第２の当接部が回転部材の突起部により押されると、揺動部材が第２の揺動方向に揺動し、可動接点と固定接点が離れ、回転部材の第２の保持部の第２の側面と揺動部材の第２の適合面が適合し、揺動部材が第２の揺動方向に揺動した状態で保持される。
【００１３】
従って、サイドスタンドの回転方向の位置を検出するスイッチにおいて、接点の摩耗を防止しつつ、振動や衝撃に強いスイッチを実現することができる。
【００１４】
この回転部材の第１の保持部と第２の保持部を、回転部材の円筒部の高さ方向において異なる位置に形成し、この揺動部材の第１の適合面と第２の適合面は、揺動部材の揺動軸と平行な方向において異なる位置に形成することができる。
【００１５】
これにより、回転部材と揺動部材の干渉を容易に防止することができる。
【００１６】
この回転部材の第１の保持部と第２の保持部を、第１の回転軸と垂直な方向に所定の幅を持つ円弧状の形状を有するようにすることができる。
【００１７】
これにより、第１の保持部と第２の保持部を容易に成形することができる。
【００１８】
この揺動部材の第１の当接部及び第２の当接部を、揺動部材の湾曲部のくぼみの両側にそれぞれ位置するようにすることができる。
【００１９】
これにより、第１の当接部及び第２の当接部を容易に成形することができる。
【００２０】
この揺動部材を、湾曲部のくぼみ側がケースの本体部の側面の方向を向くように、ケースの本体部の一端に支持するようにすることができる。
【００２１】
これにより、第１の当接部及び第２の当接部に、回転部材の突起部を確実に当接させることができる。
【００２２】
この可動接点を、バネを介して揺動部材に取り付け、バネの弾力により固定接点に押し付けるようにすることができる。
【００２３】
これにより、可動接点と固定接点の接触状態をより安定させることができる。
【００２４】
この揺動軸を、ケースの本体部の一端に形成されている円柱状の突起により構成することができる。
【００２５】
これにより、揺動部材を容易に揺動可能にケースに取り付けることができる。
【００２６】
この回転部材の円板部を、ケースの本体部の内周の径と略同じ径とすることができる。
【００２７】
これにより、突起部を形成可能な位置を広げることができる。また、ケースの密閉性を高めることができる。
【００２８】
この第１の回転軸を、サイドスタンドの第２の回転軸と一致するように設置することができる。
【００２９】
これにより、サイドスタンドの回転軸と位置検出スイッチの回転軸が一致し、サイドスタンドの回転方向の位置の検出精度を高めることができる。
【００３０】
本発明の第２の側面の回転スイッチは、内側が中空状の円筒形状をした本体部を有するケースと、ケースの本体部に嵌め合わされ、本体部の中心軸と一致する回転軸を中心に第１の回転方向及び第１の回転方向と逆の第２の回転方向に回転可能な回転部材であって、先端がケースの本体部の一端に嵌め合わされ、中心軸が回転軸と一致する円筒部と、円筒部の周囲に形成されている円板部と、円板部の円筒部の先端側の面に形成されている突起部と、円筒部の先端と円板部との間において円筒部の周囲に形成され、回転軸を中心にして突起部から第２の回転方向に所定の角度だけ離れた位置において回転軸を中心とする円弧状の第１の側面を有する第１の保持部と、円筒部の先端と円板部との間において円筒部の周囲に形成され、回転軸を中心にして突起部から第１の回転方向に所定の角度だけ離れた位置において回転軸を中心とする円弧状の第２の側面を有する第２の保持部とを備える回転部材と、ケースの本体部の一端と回転部材の円板部との間において、回転軸と平行な揺動軸を中心に第１の揺動方向及び第１の揺動方向と逆の第２の揺動方向に揺動可能にケースの本体部の一端に支持される揺動部材であって、回転部材の第１の保持部の第１の側面と適合する曲面である第１の適合面と、回転部材の第２の保持部の第２の側面と適合する曲面である第２の適合面と、回転部材が第１の回転方向に回転した場合に、回転部材の突起部が当接する第１の当接部と、回転部材が第２の回転方向に回転した場合に、回転部材の突起部が当接する第２の当接部とを備える揺動部材と、ケースの本体部の側面に本体部の内側から接触可能に設けられている固定接点と、揺動部材に設けられ、揺動部材の揺動に伴い、固定接点と接触したり離れたりする可動接点とを備え、回転部材が第１の回転方向に回転し、揺動部材の第１の当接部が回転部材の突起部により押されると、揺動部材が第１の揺動方向に揺動し、可動接点と固定接点が接触し、さらに回転部材が第１の回転方向に回転すると、回転部材の第１の保持部の第１の側面と揺動部材の第１の適合面が適合し、揺動部材が第１の揺動方向に揺動した状態で保持され、回転部材が第２の回転方向に回転し、揺動部材の第２の当接部が回転部材の突起部により押されると、揺動部材が第２の揺動方向に揺動し、可動接点と固定接点が離れ、さらに回転部材が第２の回転方向に回転すると、回転部材の第２の保持部の第２の側面と揺動部材の第２の適合面が適合し、揺動部材が第２の揺動方向に揺動した状態で保持される。
【００３１】
本発明の第２の側面においては、回転体が所定の方向に回転すると、回転部材が第１の回転方向に回転し、揺動部材の第１の当接部が回転部材の突起部により押され、揺動部材が第１の揺動方向に揺動し、可動接点と固定接点が接触し、回転部材の第１の保持部の第１の側面と揺動部材の第１の適合面が適合し、揺動部材が第１の揺動方向に揺動した状態で保持される。一方、回転体が逆方向に回転すると、回転部材が第２の回転方向に回転し、揺動部材の第２の当接部が回転部材の突起部により押されると、揺動部材が第２の揺動方向に揺動し、可動接点と固定接点が離れ、回転部材の第２の保持部の第２の側面と揺動部材の第２の適合面が適合し、揺動部材が第２の揺動方向に揺動した状態で保持される。
【００３２】
従って、回転体の回転方向の位置を検出するスイッチにおいて、接点の摩耗を防止しつつ、振動や衝撃に強いスイッチを実現することができる。
【発明の効果】
【００３３】
本発明の第１の側面又は第２の側面によれば、サイドスタンド等の回転体の回転方向の位置を検出するスイッチにおいて、接点の摩耗を防止しつつ、振動や衝撃に強いスイッチを実現することができる。
【図面の簡単な説明】
【００３４】
【図１】本発明を適用したサイドスタンドユニット及びサイドスタンドスイッチの組立て前の状態を示す図である。
【図２】本発明を適用したサイドスタンドユニット及びサイドスタンドスイッチの組立て後の状態を示す図である。
【図３】サイドスタンドスイッチの分解図である。
【図４】回転部材の斜視図である。
【図５】回転部材の六面図である。
【図６】可動接点及びバネを取り付ける前の揺動部材を上方向から見た斜視図である。
【図７】可動接点及びバネを取り付けた後の揺動部材を上方向から見た斜視図である。
【図８】可動接点及びバネを取り付けた後の揺動部材を上方向から見た斜視図である。
【図９】可動接点及びバネを取り付けた後の揺動部材を下方向から見た斜視図である。
【図１０】可動接点及びバネを取り付けた後の揺動部材の六面図である。
【図１１】ケースを斜め下方向から見た斜視図である。
【図１２】ケースの平面図である。
【図１３】サイドスタンドユニット及びサイドスタンドスイッチの回転軸付近を上から見た断面図である。
【図１４】サイドスタンドを格納するときの状態の変化を示す図である。
【図１５】サイドスタンドを格納するときのサイドスタンドスイッチの状態の変化を示すＡ−Ａ断面図である。
【図１６】サイドスタンドを格納するときのサイドスタンドスイッチの状態の変化を示すＢ−Ｂ断面図である。
【図１７】サイドスタンドを格納するときの可動スイッチと固定スイッチの状態を模式的に示す拡大図である。
【図１８】サイドスタンドを起立させるときの状態の変化を示す図である。
【図１９】サイドスタンドを起立させるときのサイドスタンドスイッチの状態の変化を示すＡ−Ａ断面図である。
【図２０】サイドスタンドを格納させるときのサイドスタンドスイッチの状態の変化を示すＢ−Ｂ断面図である。
【図２１】サイドスタンドユニット及びサイドスタンドスイッチの変形例を示す図である。
【図２２】可動接点を取り付ける前の揺動部材の変形例を示す斜視図である。
【図２３】可動接点を取り付けた後の揺動部材の変形例を示す斜視図である。
【図２４】可動接点を取り付けた後の揺動部材の変形例を示す六面図である。
【発明を実施するための形態】
【００３５】
以下、本発明を実施するための形態（以下、実施の形態という）について説明する。なお、説明は以下の順序で行う。
１．実施の形態
２．変形例
【００３６】
＜１．実施の形態＞
［サイドスタンドユニット１１及びサイドスタンドスイッチ１２の構成例］
図１及び図２は、本発明を適用したサイドスタンドユニット１１及びサイドスタンドスイッチ１２の一実施の形態を示している。なお、図１は、組立て前の状態を示しており、図２は、組立て後の状態を示している。また、図２では、スプリング２３の図示を省略している。
【００３７】
サイドスタンドユニット１１は、図示せぬ自動二輪車に取り付けられ、駐車時に倒れないように自動二輪車を支えるものである。サイドスタンドスイッチ１２は、サイドスタンドユニット１１に取り付けられ、サイドスタンド２１の回転方向の位置を検出する。より具体的には、サイドスタンドスイッチ１２は、サイドスタンド２１が自動二輪車を駐車するために起立させた位置、又は、自動車二輪車を走行させるために格納した位置のいずれの位置にあるかを検出する。そして、例えば、サイドスタンドスイッチ１２の検出結果に基づいて、サイドスタンド２１が起立したまま走行するのを防止する機能が、自動二輪車に搭載される。
【００３８】
なお、以下、サイドスタンド２１が起立した状態を起立状態と称し、格納した状態を格納状態と称する。
【００３９】
サイドスタンドユニット１１は、サイドスタンド２１、ブラケット２２、スプリング２３、ボルト２４及びナット２５により構成される。
【００４０】
サイドスタンド２１の上端には、二股に分かれた取付け部２１Ａが形成されている。また、取付け部２１Ａの両側には、取付け孔２１Ｂ及び取付け孔２１Ｃがそれぞれ形成されている。さらに、取付け孔２１Ｂの下にピン孔２１Ｄが形成されている。また、サイドスタンド２１の取付け孔２１Ｂが形成されている方の側面の略中央付近の高さに、円柱状のフックピン２１Ｅが形成されている。さらに、フックピン２１Ｅの先端付近には、スプリング２３を引っ掛けるための溝が形成されている。
【００４１】
ブラケット２２には、取付け孔２２Ａが形成されている。また、取付け孔２２Ａの上方に、円柱状のフックピン２２Ｂ及びフックピン２２Ｃが、ブラケット２２の各側面の同じ位置にそれぞれ逆方向を向くように形成されている。また、フックピン２２Ｃの先端付近には、スプリング２３を引っ掛けるための溝が形成されている。さらに、ブラケット２２の上方には、自動二輪車に取り付けるための取付け孔２２Ｄ及び取付け孔２２Ｅが形成されている。
【００４２】
ブラケット２２にサイドスタンド２１を取り付ける場合、まず、サイドスタンド２１の取付け孔２１Ｂ及び取付け孔２１Ｃとブラケット２２の取付け孔２２Ａの位置が合うように、ブラケット２２がサイドスタンド２１の取付け部２１Ａに嵌め合わされる。そして、取付け孔２１Ｂ、取付け孔２２Ａ及び取付け孔２１Ｃにボルト２４が挿入され、ボルト２４の先端にナット２５が締め付けられる。これにより、サイドスタンド２１が、ボルト２４を回転軸として回転可能にブラケット２２に支持される。
【００４３】
また、スプリング２３の両端が、それぞれサイドスタンド２１のフックピン２１Ｅの先端付近の溝、及び、ブラケット２２のフックピン２２Ｃの先端付近の溝に引っ掛けられる。これにより、スプリング２３は、フックピン２１Ｅとフックピン２２Ｃの間に懸架され、サイドスタンド２１を起立状態又は格納状態で弾性的に保持する働きをする。
【００４４】
サイドスタンドスイッチ１２は、係合部１２Ａのくぼみにブラケット２２のフックピン２２Ｂが嵌まるように、サイドスタンドユニット１１に取り付けられる。また、ボルト１３が、サイドスタンドスイッチ１２の軸孔１２Ｂに挿入され、その先端が、ボルト２４の頭部のネジ穴２４Ａに嵌め合わされる。これにより、サイドスタンド２１の回転軸（ボルト２４）と、サイドスタンドスイッチ１２の回転軸（ボルト１３）が一致する。また、後述するように、サイドスタンドスイッチ１２の回転部材１０１（図３）が、サイドスタンド２１の回転に連動して、ボルト１３を回転軸として回転する。
【００４５】
［サイドスタンドスイッチ１２の構成例］
図３は、サイドスタンドスイッチ１２の分解図である。なお、以下、図内の上方向をサイドスタンドスイッチ１２の上側とし、図内の下方向をサイドスタンドスイッチ１２の下側とする。
【００４６】
サイドスタンドスイッチ１２は、回転部材１０１、揺動部材１０２、可動接点１０３、バネ１０４、ケース１０５、固定接点１０６、金属プレート１０７、オイルシール１０８、オイルシール１０９、ハーネス１１０及び固定金具１１１により構成される。
【００４７】
回転部材１０１は、所定の回転軸（図示せぬボルト１３）を中心に回転できるように、ケース１０５に嵌め合わされる。
【００４８】
揺動部材１０２には、バネ１０４を介して可動接点１０３が取り付けられる。また、ケース１０５には、固定接点１０６が設けられている。後述するように、揺動部材１０２は、所定の揺動軸を中心に揺動可能にケース１０５に支持され、サイドスタンド２１の回転に連動して揺動する。そして、揺動部材１０２が揺動することにより、可動接点１０３が固定接点１０６に接触したり、固定接点１０６から離れたりすることにより、サイドスタンド２１の位置が検出される。
【００４９】
オイルシール１０８は、金属プレート１０７を介して、ケース１０５の下側に取り付けられる。また、オイルシール１０９は、ケース１０５の上側に取り付けられる。そして、オイルシール１０８及びオイルシール１０９は、ケース１０５内に水分や異物が浸入するのを防止する。
【００５０】
ハーネス１１０は、サイドスタンドスイッチ１２の位置の検出結果を示す信号を自動二輪車に出力するためのものである。ハーネス１１０は、固定接点１０６に接続されるとともに、固定金具１１１によりケース１０５に固定される。
【００５１】
［回転部材１０１の構成例］
図４は、回転部材１０１の斜視図であり、図５は、回転部材１０１の六面図である。
【００５２】
回転部材１０１は、上から順に、円筒部１５１、円板部１５２、円板部１５３及び円筒部１５４が積層された形状を有している。円筒部１５１、円板部１５２、円板部１５３及び円筒部１５４の中心軸は、全て回転部材１０１の回転軸と一致する。また、径の長さは、長い方から円板部１５３、円筒部１５４、円板部１５２、円筒部１５１の順になっている。さらに、回転部材１０１にボルト１３を挿入できるように、円筒部１５１及び円筒部１５４の中央は空洞になっており、円板部１５２及び円板部１５３の中央には孔（不図示）が形成されている。また、円筒部１５１の先端（図４内の上端）が、ケース１０５の本体部２５１（図１１）の上面に嵌め合わされる。
【００５３】
円板部１５３の上面（円板部１５３の円筒部１５１の先端側の面）の外周付近には、円柱状の突起部１５５が形成されている。後述するように、サイドスタンド２１が回転すると、この突起部１５５が、揺動部材１０２に当接し、揺動部材１０２を揺動させる。
【００５４】
また、円筒部１５１の先端と円板部１５３の間において、円筒部１５１の周囲に同じ形状の保持部１５６及び保持部１５７が形成されている。保持部１５６及び保持部１５７は、薄い板状で、かつ、円筒部１５１の中心軸（回転部材１０１の回転軸）を中心とし、当該中心軸と垂直な方向に所定の幅を持つ円弧状の形状を有している。また、保持部１５６は、円筒部１５１の中心軸（回転部材１０１の回転軸）を中心とする円弧状の側面１５６Ａを有しており、保持部１５７は、円筒部１５１の中心軸（回転部材１０１の回転軸）を中心とする円弧状の側面１５７Ａを有している。
【００５５】
なお、図５では、図を分かりやすくするために、保持部１５６の側面１５６Ａ及び保持部１５７の側面１５７Ａの符号の図示を省略している。
【００５６】
また、保持部１５６（の側面１５６Ａ）は、円筒部１５１の中心軸（回転部材１０１の回転軸）を中心にして、突起部１５５から回転方向Ａ２に所定の角度だけ離れた位置に形成されている。一方、保持部１５７（の側面１５７Ａ）は、円筒部１５１の中心軸（回転部材１０１の回転軸）を中心にして、突起部１５５から回転方向Ａ１に所定の角度だけ離れた位置に形成されている。さらに、保持部１５６と保持部１５７は、上から見て、円筒部１５１の中心軸と突起部１５５の中心を結ぶ直線を基準にして、左右対称かつ互いに重ならないように形成されている。
【００５７】
なお、回転方向Ａ１は、サイドスタンド２１を格納する場合に回転部材１０１が回転する方向と一致し、回転方向Ａ２は、サイドスタンド２１を起立させる場合に回転部材１０１が回転する方向と一致する。
【００５８】
また、保持部１５６と保持部１５７は、円筒部１５１の高さ方向において異なる位置に形成されており、保持部１５６の方が、保持部１５７より上方に形成されている。
【００５９】
円筒部１５４の下面には、突起状のフックピン１５８が形成されている。フックピン１５８は、サイドスタンド２１のピン孔２１Ｄ（図１）に挿入され、サイドスタンド２１の回転方向の運動を回転部材１０１に伝達する働きをする。
【００６０】
［揺動部材１０２の構成例］
図６乃至図１０は、揺動部材１０２の構成例を示している。具体的には、図６は、可動接点１０３及びバネ１０４を取り付ける前の揺動部材１０２を示しており、図７乃至図１０は、可動接点１０３及びバネ１０４を取り付けた後の揺動部材１０２を示している。また、図６と図７は、揺動部材１０２を上方の同じ方向から見た斜視図である。図７と図８は、揺動部材１０２を上方の異なる方向から見た斜視図である。図９は、揺動部材１０２を下方向から見た斜視図である。図１０は、揺動部材１０２の六面図である。
【００６１】
揺動部材１０２の上面の中央付近には、円形の軸穴２０１が形成されている。後述するように、この軸穴２０１にケース１０５の揺動部２５４（図１１等）を挿入することにより、揺動部材１０２が揺動部２５４を中心にして揺動可能にケース１０５に支持される。
【００６２】
また、揺動部材１０２の側面の高さ方向（揺動軸と平行な方向）において異なる位置に、適合面２０２及び適合面２０３が、互いに異なる方向を向くように形成されている。具体的には、揺動部材１０２の側面の上端に、所定の厚さの円弧状の曲面からなる適合面２０２が形成されている。また、揺動部材１０２の側面の下端に、所定の厚さの円弧状の曲面からなる適合面２０３が、適合面２０２と異なる方向を向くように形成されている。後述するように、適合面２０２は、回転部材１０１の保持部１５６の側面１５６Ａと適合し、適合面２０３は、回転部材１０１の保持部１５７の側面１５７Ａと適合する。
【００６３】
揺動部材１０２の下面には、湾曲部２０４が形成されている。そして、後述するように、サイドスタンド２１の回転に連動して回転部材１０１が回転し、回転部材１０１の突起部１５５が、湾曲部２０４のくぼみの両側にそれぞれ位置する当接部２０４Ａ又は当接部２０４Ｂに当接することにより、揺動部材１０２が揺動する。
【００６４】
また、サイドスタンドスイッチ１２を組み立てたときに、揺動部材１０２の下面の一部が、回転部材１０１の円板部１５２の上面に接し、湾曲部２０４の下面が、回転部材１０１の円板部１５３の上面に接する。さらに、揺動部材１０２の上面が、ケース１０５の本体部２５１の上面に接する。これにより、揺動部材１０２の上下方向の位置が固定される。
【００６５】
可動接点１０３は、バネ１０４を介して、揺動部材１０２の取付け部２０５に取り付けられる。また、可動接点１０３の接触面１０３Ａには、球状の突起部２２１Ａ及び突起部２２１Ｂが形成されている。
【００６６】
［ケース１０５の構成例］
図１１乃至図１３は、ケース１０５の構成例を示している。具体的には、図１１は、ケース１０５を下方向から見た斜視図である。図１２の上側の図は、ケース１０５の平面図であり、図１２の下側の図は、ケース１０５の底面図である。
【００６７】
ケース１０５は、内側が中空状の円筒形状をした本体部２５１を有している。本体部２５１の内周の径は、回転部材１０１の円板部１５３の径とほぼ同じである。また、本体部２５１の側面の外側に、長辺側２５２Ａと短辺側２５２ＢとからなるＪ字形に近い形状の係合部２５２が形成されている。この係合部２５２は、図１のサイドスタンドスイッチ１２の係合部１２Ａを構成する。
【００６８】
本体部２５１の一端である上面の中央には、開口２５１Ａが形成されている。また、本体部２５１の上面の内側には、開口２５１Ａを囲むように、リング状の突起部２５３が形成されている。この突起部２５３に、回転部材１０１の円筒部１５１の先端を嵌め合わすことにより、本体部２５１と円筒部１５１の中心軸が一致し、その中心軸を中心にして回転可能に回転部材１０１が本体部２５１に支持される。なお、この中心軸は、サイドスタンド２１の回転軸と一致する。また、本体部２５１の側面の上端付近であって、係合部２５２の長辺側２５２Ａが形成されている部分に、矩形の端子孔２５１Ｂが形成されている。
【００６９】
さらに、係合部２５２の長辺側２５２Ａには、２つの部材からなる金属製の固定接点１０６が取り付けられている。固定接点１０６の接触部１０６Ａは、端子孔２５１Ｂを介して、本体部２５１の内側から接触可能に本体部２５１の側面に設けられている。そして、後述するように、サイドスタンド２１の回転に伴い、揺動部材１０２の可動接点１０３（の突起部２２１Ａ,２２１Ｂ）が、固定接点１０６の接触部１０６Ａに接触したり、接触部１０６Ａから離れたりする。
【００７０】
また、固定接点１０６の接続部１０６Ｂは、本体部２５１の外に露出するように設けられている。そして、固定接点１０６の接続部１０６Ｂに、ハーネス１１０が接続される。
【００７１】
さらに、本体部２５１の上面の内側の突起部２５３の近傍、かつ、端子孔２５１Ｂの近傍に、本体部２５１の中心軸と平行な円柱状の突起からなる揺動軸２５４が形成されている。この揺動軸２５４を揺動部材１０２の軸穴２０１に挿入することにより、揺動部材１０２が、揺動軸２５４を軸にして揺動可能にケース１０５に支持される。
【００７２】
また、係合部２５２の長辺側２５２Ａの端部付近に、矩形の取付け孔２５２Ｃが形成されている。そして、ハーネス１１０をケース１０５に接続するときに、固定金具１１１（図３）が取付け孔２５２Ｃに取り付けられ、ハーネス１１０の位置が固定される。
【００７３】
［サイドスタンドスイッチ１２の動作］
次に、図１３乃至図２０を参照して、サイドスタンドスイッチ１２の動作について説明する。なお、図１３乃至図２０では、図を分かりやすくするために、説明に関係ない部分の符号の図示を適宜省略している。
【００７４】
図１３は、サイドスタンドユニット１１及びサイドスタンドスイッチ１２の回転軸（ボルト２４及びボルト１３）付近を上から見た断面図である。
【００７５】
上述したように、サイドスタンド２１の取付け孔２１Ｂ,２１Ｃ、及び、ブラケット２２の取付け孔２２Ａにボルト２４が挿入され、ボルト２４の先端にナット２５が締め付けらてれる。これにより、サイドスタンド２１が、ボルト２４を回転軸として回転可能にブラケット２２に支持される。
【００７６】
また、回転部材１０１の円筒部１５１の先端が、ケース１０５の本体部２５１の突起部２５３に挿入されている。さらに、回転部材１０１の円筒部１５１にボルト１３が挿入され、ボルト１３の先端が、ボルト２４の頭部のネジ穴２４Ａに嵌め合わされている。また、回転部材１０１のフックピン１５８が、サイドスタンド２１のピン孔２１Ｄに挿入されている。これにより、サイドスタンド２１の回転軸（ボルト２４）と、サイドスタンドスイッチ１２の回転軸（ボルト１３）が一致し、サイドスタンド２１の回転に連動して、サイドスタンドスイッチ１２の回転部材１０１が回転する。
【００７７】
なお、図示されていないが、揺動部材１０２は、ケース１０５の上面と、当該上面に対向する回転部材１０１の円板部１５３との間において、ケース１０５の上面に揺動可能に支持される。
【００７８】
図１４乃至図２０は、サイドスタンド２１の位置とサイドスタンドスイッチ１２の状態の関係を示している。具体的には、図１５及び図１６は、図１４に示されるように、サイドスタンド２１を起立状態と格納状態の中間の状態（以下、中間状態と称する）から格納状態に変化させた場合のサイドスタンドスイッチ１２の状態の遷移を示している。なお、図１５は図１３のＡ−Ａ矢視で示される部分の断面図であり、図１６は図１３のＢ−Ｂ矢視で示される部分の断面図である。また、図１７は、サイドスタンド２１を格納するときの可動スイッチ１０３と固定スイッチ１０６の状態を模式的に示す拡大図である。さらに、図１９及び図２０は、図１８に示されるように、サイドスタンド２１を中間状態から起立状態に変化させた場合のサイドスタンドスイッチ１２の状態の遷移を示している。なお、図１９は図１３のＡ−Ａ矢視で示される部分の断面図であり、図２０は図１３のＢ−Ｂ矢視で示される部分の断面図である。
【００７９】
図１５に示されるように、揺動部材１０２は、湾曲部２０４のくぼみ側（当接部２０４Ａ及び当接部２０４Ｂ）が、ケース１０５の本体部２５１の側面の方向を向くように設置されている。そして、図１５の左端の図に示されるように、サイドスタンド２１が中間状態のとき、回転部材１０１の突起部１５５は、揺動部材１０２の湾曲部２０４のくぼみ（当接部２０４Ａと当接部２０４Ｂの間）に位置し、当接部２０４Ａ及び当接部２０４Ｂに当接した状態となる。また、図１６の左端の図に示されるように、サイドスタンド２１が中間状態のとき、回転部材１０１の保持部１５６及び保持部１５７と、揺動部材１０２は接していない。
【００８０】
そして、図１４に示されるように、サイドスタンド２１を格納するために反時計回りに回転させると、それに連動して回転部材１０１も反時計回りに回転する。これにより、図１５の真ん中の図に示されるように、揺動部材１０２の当接部２０４Ａが、回転部材１０１の突起部１５５により押され、揺動部材１０２が反時計回りの方向に揺動する。そして、揺動部材１０２の可動接点１０３が、ケース１０５の固定接点１０６に接触した状態となる。また、可動接点１０３は、バネ１０４の弾力により適度な力で固定接点１０６に押し付けられる。より具体的には、図１７に示されるように、可動接点１０４の突起部２２１Ａ及び突起部２２１Ｂが、固定接点１０６の接触部１０６Ａに接触し、さらにバネ１０４の弾力により押し付けられた状態になる。これにより、可動接点１０４と固定接点１０６との間が電気的に導通する。
【００８１】
さらに、サイドスタンド２１を反時計回りに回転させると、図１６の右端の図に示されるように、揺動部材１０２が反時計回りの方向に揺動した状態で、回転部材１０１の保持部１５６と揺動部材１０２の適合面２０２が適合する。これにより、揺動部材１０２の揺動方向の位置が固定される。すなわち、揺動部材１０２は、反時計回りに揺動し、上述した図１７に示されるように、可動接点１０３が固定接点１０６に接触した状態で保持される。
【００８２】
なお、サイドスタンド２１を格納状態から中間状態に変化させた場合、回転部材１０１及び揺動部材１０２は、上述した場合と逆の動きをする。
【００８３】
一方、図１８に示されるように、サイドスタンド２１を起立させるために時計回りに回転させると、それに連動して回転部材１０１も時計回りに回転する。これにより、図１９の真ん中の図に示されるように、揺動部材１０２の当接部２０４Ｂが、回転部材１０１の突起部１５５により押され、揺動部材１０２が時計回りの方向に揺動する。そして、揺動部材１０２の可動接点１０３が、ケース１０５の固定接点１０６から大きく離れた状態となる。
【００８４】
さらに、サイドスタンド２１を時計回りに回転させると、図１９の右端の図に示されるように、揺動部材１０２が時計回りの方向に揺動した状態で、回転部材１０１の保持部１５７と揺動部材１０２の適合面２０３が適合する。これにより、揺動部材１０２の揺動方向の位置が固定される。すなわち、揺動部材１０２は、時計回りに揺動し、可動接点１０３が固定接点１０６から大きく離れた状態で固定される。
【００８５】
なお、サイドスタンド２１を起立状態から格納状態に変化させた場合、回転部材１０１及び揺動部材１０２は、上述した場合と逆の動きをする。
【００８６】
以上のようにして、サイドスタンド２１が格納状態のとき、可動接点１０３と固定接点１０６を接触させ、サイドスタンド２１が起立状態のとき、可動接点１０３と固定接点１０６を離すことにより、サイドスタンド２１の位置を正確に検出することができる。
【００８７】
また、回転部材１０１の保持部１５６及び保持部１５７により揺動部材１０２の揺動状態が確実に固定されるため、衝撃や振動により可動接点１０３と固定接点１０６の接触状態が変化し、サイドスタンド２１の位置が誤検出されることが防止される。さらに、特別な部品を設けずに簡易な機構により、揺動部材１０２の揺動状態を保持することができ、コストやサイズの増大を防止することができる。
【００８８】
また、可動接点１０３と固定接点１０６が擦れることがないため、両接点の摩耗が防止される。
【００８９】
＜２．変形例＞
以下、上述した本発明の実施の形態の変形例について説明する。
【００９０】
［サイドスタンドユニット及びサイドスタンドスイッチの変形例］
図２１は、サイドスタンドユニット及びサイドスタンドスイッチの変形例を示している。なお、図中、図１と対応する部分には同じ符号を付してある。
【００９１】
図２１と図１を比較すると、図２１の変形例では、サイドスタンドユニット１１の代わりにサイドスタンドユニット３０１が設けられ、サイドスタンドスイッチ１２の代わりにサイドスタンドスイッチ３０２が設けられ、取付け部材３０３が追加されている点が異なる。また、図２１のサイドスタンドユニット３０１と図１のサイドスタンドユニット１１を比較すると、サイドスタンド２１の代わりにサイドスタンド３１１が設けられている点が異なる。
【００９２】
サイドスタンド３１１は、図１のサイドスタンド２１とほぼ同じ形状を有しており、ピン孔２１Ｄが形成されていない点のみが異なる。すなわち、サイドスタンド３１１の取付け部３１１Ａ、取付け孔３１１Ｂ,３１１Ｃ及びフックピン３１１Ｄは、サイドスタンド２１の取付け部２１Ａ、取付け孔２１Ｂ,２１Ｃ及びフックピン２１Ｅと同じ形状で同じ位置に形成されている。
【００９３】
また、サイドスタンドスイッチ３０２は、図１のサイドスタンドスイッチ１２とほぼ同じ形状及び機能を有しており、回転部材１０１のフックピン１５８の代わりに、取付け部材３０３が取付けられている点が異なる。取付け部材３０３は、サイドスタンドスイッチ３０２の回転部材（不図示）と連動して回転するように、サイドスタンドスイッチ３０２に取り付けられている。
【００９４】
そして、サイドスタンド３１１は、図１のサイドスタンド２１と同様の方法により、ブラケット２２に取り付けられ、ボルト２４を回転軸として回転可能にブラケット２２に支持される。サイドスタンドスイッチ３０２は、係合部３０２Ａのくぼみにブラケット２２のフックピン２２Ｂが嵌まり、取付け部材３０３がサイドスタンド３１１の取付け部３１１Ａを挟むように、サイドスタンドユニット３０１に取り付けられる。また、ボルト１３が、サイドスタンドスイッチ３０２の軸孔（不図示）及び取付け部材３０３の軸孔（不図示）に挿入され、その先端が、ボルト２４の頭部のネジ穴２４Ａに嵌め合わされる。これにより、サイドスタンド３１１の回転軸（ボルト２４）と、サイドスタンドスイッチ３０２の回転軸（ボルト１３）が一致する。また、サイドスタンド３１１の回転に連動して、サイドスタンドスイッチ３０２の回転部材（不図示）が回転する。
【００９５】
［揺動部材の変形例］
図２２乃至図２４は、揺動部材の変形例を示している。具体的には、図２２は、可動接点４０２を取り付ける前の揺動部材４０１を示し、図２３及び図２４は、可動接点４０２を取り付けた後の揺動部材４０１を示している。また、図２２及び図２３は、揺動部材４０１を上から見た斜視図である。図２４は、揺動部材４０１の六面図である。
【００９６】
揺動部材４０１は、図６乃至図１０の揺動部材１０２とほぼ同様の形状を有しており、取付け部２０５の代わりに切欠き部４１５が形成され、側面にガイド部４１６が形成されている点が異なる。揺動部材４０１の軸穴４１１、適合面４１２、適合面４１３及び湾曲部４１４は、揺動部材１０２の軸穴２０１、適合面２０２、適合面２０３及び湾曲部２０４とほぼ同じ形状で同じ位置に形成されている。
【００９７】
切欠き部４１５は、可動接点４０２を取り付ける部分である。また、ガイド部４１６は、可動接点４０２が固定接点１０６に接触したときに、可動接点４０２を固定接点１０６側に押し付ける役割を果たす。
【００９８】
可動接点４０２の接触部４０２Ａは、固定接点１０６の接触部１０６Ａと接触する部分であり、二股に分かれるとともに、途中でＬ字形に湾曲し、さらに先端部が緩やかに湾曲している。このように接触部４０２Ａが湾曲することにより、可動接点４０２自体がバネの働きをして、接触部４０２Ａが適度な力で固定接点１０６に押し付けられる。また、可動接点４０２の取付け部４０２Ｂは、揺動部材４０１の切欠き部４１５に対応した形状を有しており、切欠き部４１５に挿入される。
【００９９】
この揺動部材４０１は、揺動部材１０２と比較して、バネを用いずに可動接点４０２を取り付けることができ、部品数及び組立工数を削減することができる。
【０１００】
［その他の変形例］
各部品の形状は、上述した実施の形態に限定されるものではなく、本技術の要旨を逸脱しない範囲において種々の変更が可能である。例えば、ケース１０５側ではなく、揺動部材１０２又は揺動部材４０１に突起状の揺動軸を設け、ケース１０５の本体部２５１に挿入するようにしてもよい。
【０１０１】
さらに、例えば、揺動部材１０２の当接部２０４Ａと当接部２０４Ｂ、及び、揺動部材４０１の当接部４１４Ａと当接部４１４Ｂは、必ずしも連続している必要はなく、回転部材１０１の突起部１５５が確実に当接するのであれば、離して形成するようにしてもよい。例えば、湾曲部２０４のくぼみ部分（関節部分）を切り欠くようにすることも可能である。
【０１０２】
また、例えば、回転部材１０１の保持部１５６と保持部１５７は、必ずしも同じ形状である必要はない。また、保持部１５６と保持部１５７を、必ずしも円筒部１５１の中心軸と突起部１５５の中心を結ぶ直線を基準にして、左右対称な位置に形成する必要はない。これらの要素は、サイドスタンド２１の回転方向の動作範囲等により適切に調整されるのが望ましい。また、保持部１５６の側面１５６Ａ及び保持部１５７の側面１５７Ａが、揺動部材１０２の適合面２０２及び適合面２０３にそれぞれ適合すれば、円筒部１５１の中心軸に対して垂直な方向の形状が必ずしも円弧状でなくてもよい。
【０１０３】
さらに、例えば、格納状態と起立状態の接点の接触状態を、上述した例と逆にすることも可能である。また、本発明は、接点の状態が３以上の場合にも適用することができる。すなわち、３種類以上のサイドスタンドの回転方向の位置を検出する場合にも適用することができる。
【０１０４】
また、本発明は、サイドスタンド以外にも、ステアリングホイール、ノブ、レバー、車輪等の所定の回転軸を中心に回転する回転体の回転方向の位置の検出に用いることが可能である。
【０１０５】
さらに、本技術の実施の形態は、上述した実施の形態に限定されるものではなく、本技術の要旨を逸脱しない範囲において種々の変更が可能である。
【符号の説明】
【０１０６】
１１  サイドスタンドユニット
１２  サイドスタンドスイッチ
１３  ボルト
２１  サイドスタンド
２１Ｂ,２１Ｃ  取付け孔
２１Ｄ  ピン孔
２２  ブラケット
２２Ａ  取付け孔
２２Ｂ  フックピン
２４  ボルト
２４Ａ  ネジ穴
２５  ナット
１０１  回転部材
１０２  揺動部材
１０３  可動接点
１０４  バネ
１０５  ケース
１０６  固定接点
１５１  円筒部
１５２,１５３  円板部
１５４  円筒部
１５５  突起部
１５６,１５７  保持部
１５６Ａ,１５７Ａ  側面
１５８  フックピン
２０１  軸穴
２０２,２０３  適合面
２０４  湾曲部
２０４Ａ,２０４Ｂ  当接部
２５１  本体部
２５２  係合部
２５３  突起部
２５４  揺動軸
３０１  サイドスタンドユニット
３０２  サイドスタンドスイッチ
３０３  取付け部材
３１１  サイドスタンド
４０１  揺動部材
４０２  可動接点
４１１  軸穴
４１２,４１３  適合面
４１４  湾曲部
４１４Ａ,４１４Ｂ  当接部
４１５  切欠き部
４１６  ガイド部
【図１】
2014118042.tif 000003
【図２】
2014118042.tif 000004
【図３】
2014118042.tif 000005
【図４】
2014118042.tif 000006
【図５】
2014118042.tif 000007
【図６】
2014118042.tif 000008
【図７】
2014118042.tif 000009
【図８】
2014118042.tif 000010
【図９】
2014118042.tif 000011
【図１０】
2014118042.tif 000012
【図１１】
2014118042.tif 000013
【図１２】
2014118042.tif 000014
【図１３】
2014118042.tif 000015
【図１４】
2014118042.tif 000016
【図１５】
2014118042.tif 000017
【図１６】
2014118042.tif 000018
【図１７】
2014118042.tif 000019
【図１８】
2014118042.tif 000020
【図１９】
2014118042.tif 000021
【図２０】
2014118042.tif 000022
【図２１】
2014118042.tif 000023
【図２２】
2014118042.tif 000024
【図２３】
2014118042.tif 000025
【図２４】
2014118042.tif 000026